(57)【要約】【課題】  接写撮影切替機構の操作腕の移動範囲を小さくし、その周辺にチップ部品等の配置を可能にすると共に、撮像装置を携帯電話に固定するための部品も上記移動範囲を逃す工夫を必要とせず、装置を小型化することができる撮像装置を提供する。【解決手段】  所定の間隔で配設されたレンズマウント天板２１とレンズマウント底板２２とを支柱２３を介して結合したレンズマウント２、上記レンズマウント天板２１とレンズマウント底板２２との間に配設されたレンズバレル３とそのフォーカス調整機構４、及び上記レンズバレル３と上記レンズマウント底板２２との間に設けられ、上記支柱２３の長さ方向に上下動させることにより上記レンズバレル３を駆動して通常撮影と接写撮影とを切替える接写撮影切替機構５を備えた構成とする。【選択図】        図１
2006227270.tif 000002
【特許請求の範囲】
【請求項１】
所定の間隔で配設されたレンズマウント天板とレンズマウント底板とを支柱を介して結合したレンズマウント、上記レンズマウント天板とレンズマウント底板との間に配設されたレンズバレルとそのフォーカス調整機構、及び上記レンズバレルと上記レンズマウント底板との間に設けられ、上記支柱の長さ方向に上下動させることにより上記レンズバレルを駆動して通常撮影と接写撮影とを切替える接写撮影切替機構を備えたことを特徴とする撮像装置。
【請求項２】
上記接写撮影切替機構は、上記レンズバレルの下面に接する接触部と、この接触部から上記レンズバレルの外方に延在すると共に、上記レンズマウント底板または支柱に軸支された操作腕とから構成され、上記操作腕を上記支柱の長さ方向に上下させることにより、てこの原理で上記レンズバレルを駆動するようにしたことを特徴とする請求項１記載の撮像装置。
【請求項３】
上記接写撮影切替機構の接触部は上記操作腕の両側にほぼＵ字状に延在し、上記レンズバレルに対してほぼ均等に駆動力が作用するようにしたことを特徴とする請求項１または請求項２記載の撮像装置。
【請求項４】
上記レンズバレルの外周部に凸部を形成すると共に、上記支柱の内面に上記凸部と係合する凹部を形成し、上記凹部が上記レンズバレルの駆動時におけるガイド溝を構成するようにしたことを特徴とする請求項１〜請求項３のいずれか１項記載の撮像装置。
【発明の詳細な説明】
【技術分野】
【０００１】
この発明は、例えば移動体通信装置等に搭載される撮像装置に関するものである。
【背景技術】
【０００２】
従来の撮像装置に搭載されている光学ユニットの構成を図７に示す。図７（ａ）は光学ユニットの全体構成を示す概略斜視図であり、図７（ｂ）は平面図である。
【０００３】
光学ユニット１は所定の間隔で配設されたレンズマウント天板２１と、レンズマウント底板２２と、両者を結合する支柱２３とから構成されるレンズマウント２及びレンズマウント天板とレンズマウント底板との間に配設されたレンズバレル３並びにレンズバレル３のフォーカス調整機構４とを備えている。
【０００４】
また、レンズバレル３に隣接して接写撮影切替機構５と、この機構を操作してレンズバレル３を駆動するための突出した操作腕５１が設けられている。
撮像装置を通常撮影あるいは接写撮影に切替える場合には、操作腕５１を矢印６方向に切替える。即ち、操作腕５１を矢印６の６１の位置まで移動させると通常撮影となり、操作腕５１を矢印６の６２の位置まで移動させると接写撮影となるようにされている。
【０００５】
図７（ｂ）の符号７は操作腕５１が移動する範囲を示している。更に、図７（ｂ）の操作腕５１は接写撮影位置６２に移動した状態と、通常撮影位置６１に移動した状態とをそれぞれ示している。
【０００６】
また、この光学ユニットのフォーカスを調整する場合には、フォーカス調整機構４を矢印８方向に回動させるようにされている（例えば特許文献１参照）。
【０００７】
【特許文献１】特開２００４−２２２０６４号公報
【発明の開示】
【発明が解決しようとする課題】
【０００８】
従来の撮像装置は上記のように構成されているため、撮像装置を通常撮影状態から接写撮影状態に切替える場合には、接写撮影切替機構５の操作腕５１を図７（ａ）の６１から６２まで光学ユニット１の左右方向に移動させる必要があった。
【０００９】
この場合、操作腕５１の移動範囲が符号７で示しているように広く、しかもこの範囲には携帯電話の部品等を配置することが出来ないため、携帯電話の小型化に支障を来たすという問題点があった。また、携帯電話に撮像装置を固定するための部品等も上記の移動範囲７を逃すような工夫をする必要があった。
【００１０】
この発明は、上記のような問題点を解消するためになされたもので、接写撮影切替機構の操作腕５１の移動範囲７を含む操作腕５１の周辺に携帯電話に必要なチップ部品等を配置することが可能となり、また、携帯電話に撮像装置を固定するための部品も操作腕５１の移動範囲を逃す工夫を必要とせず、装置の小型化に寄与することができる撮像装置を提供することを目的とする。
【課題を解決するための手段】
【００１１】
この発明に係る撮像装置は、所定の間隔で配設されたレンズマウント天板とレンズマウント底板とを支柱を介して結合したレンズマウント、上記レンズマウント天板とレンズマウント底板との間に配設されたレンズバレルとそのフォーカス調整機構、及び上記レンズバレルと上記レンズマウント底板との間に設けられ、上記支柱の長さ方向に上下動させることにより上記レンズバレルを駆動して通常撮影と接写撮影とを切替える接写撮影切替機構を備えたものである。
【発明の効果】
【００１２】
この発明に係る撮像装置は上記のように構成され、接写撮影切替機構を支柱の長さ方向に上下動させることにより通常撮影と接写撮影を切替えることができるため、接写撮影切替機構の操作腕の移動範囲を含む接写切替機構周辺に携帯電話に必要なチップ部品等を配置することが可能となり、また、携帯電話に撮像装置を固定するための部品も操作腕の近傍に装着することができ、装置を小型化することが容易となる。
【００１３】
また、接写撮影切替機構を、レンズバレルの下面に接する接触部と、レンズマウント底板または支柱に軸支された操作腕とから構成し、てこの原理でレンズバレルを駆動するようにしたため、接写撮影切替機構の操作腕の移動範囲が制限され、安定した撮像装置のフォーカス調整が可能となる他、撮像装置の性能ばらつきが少なく、かつ製造歩留まりが向上し、安価で小型な撮像装置を得ることが出来る。
【００１４】
更に、接写撮影切替機構の接触部を操作腕の両側にほぼＵ字状に延在し、レンズバレルにほぼ均等な力が加わるような構造としたため、通常撮影時から接写撮影時へ接写撮影切替機構を切替える際にレンズバレルの安定した動きを確保することができる。
【００１５】
更にまた、レンズバレルに凸部を設け、レンズマウントの支柱の内面に上記凸部と係合する凹部を設けたため、通常撮影時から接写撮影時へ接写撮影切替機構を切替える際に上記凹部がレンズバレルの駆動に対するガイド溝を構成し、レンズバレルの駆動が安定した状態で行なわれるものである。
【発明を実施するための最良の形態】
【００１６】
実施の形態１．
以下、この発明の実施の形態１を図にもとづいて説明する。図１は、実施の形態１の構成を示す分解斜視図、図２は、実施の形態１の接写撮影切替機構の構成を示す平面図である。
【００１７】
実施の形態１の光学ユニット１は所定の間隔で配設されたレンズマウント天板２１と、レンズマウント底板２２と、両者を結合する支柱２３とから構成されるレンズマウント２及びレンズマウント天板とレンズマウント底板との間に配設されたレンズバレル３並びにレンズバレルのフォーカス調整機構４とを備えている。
【００１８】
また、レンズバレル３に隣接して接写撮影切替機構５が設けられている。この接写撮影切替機構５はフォーカス調整機構４の外側に位置するようにＵ字状に形成され、その両側の先端部５２がレンズバレル３の下面に接触し得るようにされている。
【００１９】
また、Ｕ字形状の底部から外方に延在する操作腕５１が設けられ、その両側部には軸５３が突設され、これらの軸５３は、図示していないがレンズマウント底板２２または支柱２３によって支持されるようになされている。
【００２０】
このように構成された撮像装置のフォーカス調整方法について説明する。
図３は、実施の形態１において、操作腕５１を上方に移動させ、そのＵ字状の先端部５２がレンズバレル３の下面に接触しておらず、レンズバレル３が上方に移動していない状態、即ち撮像装置の通常撮影状態を示している。
【００２１】
この状態でフォーカス調整機構４を回動させて撮像装置のフォーカスを調整し、調整後、フォーカス調整機構４をレンズマウント底板２２または支柱２３に接着樹脂等で固定し、調整された状態を保持する。
【００２２】
次に、接写撮影への切替え動作について説明する。
先ず、図３の状態から操作腕５１を図において下方に押圧する。この時、接写撮影切替機構５は軸５３を中心にして反時計方向に回動し、図４に示すように、Ｕ字状先端部５２が図において上方に移動してレンズバレル３を上方に押し、図示のように、レンズマウント天板２１から突出させ、接写撮影状態となる。
【００２３】
レンズバレル３の上方への移動は、接写撮影切替機構５の先端部が上述のようにＵ字状に形成されていて、レンズバレル３の下面を両側から押し上げるため、レンズバレル３にほぼ均等な力が加わり、レンズバレル３をスムーズに押し上げることができる。
【００２４】
また、操作腕５１は支柱２３の長さ方向、即ち図３、図４において上下方向に動くため、図７に示す従来技術に比して非常に少ない移動範囲７での切替えが可能となる。
【００２５】
実施の形態１は上記のように構成され、接写撮影切替機構５の操作腕５１を、てこの原理で支柱２３の長さ方向、即ち上下方向に移動させるようにした結果、操作腕５１の移動範囲が従来装置に比して非常に小さくなるため、操作腕５１の周辺に携帯電話に必要なチップ部品等の配置が可能となり、また撮像装置を携帯電話に固定するための部品も操作腕の移動範囲を逃げる工夫をすることなく装着することができる。
【００２６】
実施の形態２．
次に、この発明の実施の形態２を図にもとづいて説明する。図５は、実施の形態２の構成を示す平面図であり、図６は、レンズバレルと支柱との係合状態を拡大して示す斜視図である。
なお、撮像装置の基本的な構成は図１、図２と同様であるため、それらの図を援用して図示及び説明を省略する。
【００２７】
この実施の形態は、レンズバレル３の外周部に凸部３１を形成すると共に、支柱２３の内面に上記凸部３１と係合する凹部２４を上下方向に延びるように形成したものである。
従って、接写撮影切替機構５によって通常撮影と接写撮影との切替え時におけるレンズバレル３の駆動時に凹部２４が凸部３１のガイド溝となり、レンズバレル３がスムーズに移動することができるものである。
【図面の簡単な説明】
【００２８】
【図１】この発明の実施の形態１の構成を示す分解斜視図である。
【図２】実施の形態１の接写撮影切替機構の構成を示す平面図である。
【図３】実施の形態１における撮像装置の通常撮影状態を示す概略側面図である。
【図４】実施の形態１における撮像装置の接写撮影状態を示す概略側面図である。
【図５】この発明の実施の形態２の構成を示す平面図である。
【図６】実施の形態２におけるレンズバレルと支柱との係合状態を拡大して示す斜視図である。
【図７】従来の撮像装置の構成を示すもので、（ａ）は斜視図、（ｂ）は平面図である。
【符号の説明】
【００２９】
１  光学ユニット、  ２  レンズマウント、  ３  レンズバレル、
４  フォーカス調整機構、  ５  接写撮影切替機構、  ６、８  矢印、
７  操作腕の移動範囲、  ２１  レンズマウント天板、  ２２  レンズマウント底板、  ２３  支柱、  ２４  凹部、  ３１  凸部、
５１  操作腕、  ５２  先端部、  ５３  軸、  ６１  通常撮影位置、
６２  接写撮影位置。
【図１】
2006227270.tif 000003
【図２】
2006227270.tif 000004
【図３】
2006227270.tif 000005
【図４】
2006227270.tif 000006
【図５】
2006227270.tif 000007
【図６】
2006227270.tif 000008
【図７】
2006227270.tif 000009